(57)【要約】【課題】  プログラムを設定し直すことなく、簡単にプログラムを変更できるようにしたタイムスイッチを提供する。【解決手段】  単一の負荷に対して複数のプログラムを設定することにより(ステップｎ２)、各プログラムが、複数の各バンクに個別的に対応して格納され、運転モードにおいて、バンクを切替えることにより、切替えられたバンクのプログラムに変更されて該プログラムに従って負荷のオン・オフが制御される(ステップｎ３)。【選択図】        図３
2006250805.tif 000002
【特許請求の範囲】
【請求項１】
設定されたプログラムに従って負荷のオン・オフを制御する電子式のタイムスイッチにおいて、
単一の負荷に対して複数のプログラムが設定可能なプログラム設定手段と、
前記プログラム設定手段で設定された複数のプログラムを格納する記憶手段と、
外部入力または設定入力に基いて、前記記憶手段の複数のプログラムのいずれかのプログラムを選択する選択手段と、
選択されたプログラムに従って負荷のオン・オフを制御する制御手段と、
を備えることを特徴とするタイムスイッチ。
【請求項２】
前記記憶手段は、複数のバンクを有し、各プログラムを各バンクに個別的に対応させて格納するものであり、
前記選択手段は、バンクを指定する前記外部入力または前記設定入力に基いて、指定されたバンクに対応するプログラムを選択する請求項１に記載のタイムスイッチ。
【請求項３】
選択されているバンクを表示する表示手段を備える請求項１または２に記載のタイムスイッチ。
【請求項４】
選択されたプログラムに従った負荷のオン・オフの制御の開始時点を設定するタイミング設定手段を備え、
前記制御手段は、該タイミング設定手段によって設定された時点から前記選択されたプログラムに従った負荷のオン・オフの制御を開始する請求項１〜３のいずれか１項に記載のタイムスイッチ。
【請求項５】
前記プログラム設定手段によって、複数のプログラムを設定するか、あるいは、単一のプログラムを設定するかを選択する選択設定手段を備え、
該選択設定手段によって単一のプログラムの設定が選択されたときには、前記プログラム設定手段によって設定される単一のプログラムを、前記記憶手段の前記複数のバンクに亘って格納可能である請求項２に記載のタイムスイッチ。
【発明の詳細な説明】
【技術分野】
【０００１】
本発明は、設定されたプログラムに従って、負荷をオンまたはオフに制御するためのタイムスイッチに関する。
【背景技術】
【０００２】
例えば、工業用空調システムには、割安な夜間電力を使用して熱源機を運転し、夏季には氷、冬季には温水を、蓄熱槽に蓄え、昼間は、蓄熱槽に蓄えた氷、あるいは、温水を利用して冷房あるいは暖房を行うことによって、ランニングコストを低減するものがある。
【０００３】
かかる空調システムでは、氷あるいは温水を蓄える夜間の時間帯は、夏季、冬季ともに電気代が割安な同じ時間帯に設定して熱源機などの負荷を制御できるけれども、氷や温水を利用する昼間の時間帯は、夏季は、冷房のピークの時間帯、例えば、１３時から１６時となる一方、冬季は、暖房の立ち上げ時間帯、例えば、８時から９時となり、冷房と暖房とで時間帯が異なることになる。
【０００４】
このように時間帯の異なる負荷のオン・オフの制御にタイムスイッチを使用する場合がある。
【０００５】
タイムスイッチとしては、曜日毎に一週間単位でプログラムの設定を行える週間タイムスイッチ(例えば、特許文献１参照)、あるいは、日付毎に一年単位でプログラムの設定を行える年間タイムスイッチなどがある。
【０００６】
週間タイムスイッチを、上述の空調システムに用いる場合には、夏季と冬季とで、昼間の負荷のオン・オフを制御する時間帯を変更する必要があり、夏季の冷房用のプログラムと冬季の暖房用のプログラムの年２回のプログラムの設定を行なう必要がある。
【０００７】
一方、年間タイムスイッチを、上述の空調システムに用いる場合には、プログラムの設定をし直す必要は基本的にはないけれども、年間のプログラムを設定する必要があるために、設定操作が面倒で使い勝手が悪く、しかも、高価であるという難点があり、さらに、年によって寒暖の相違があるために、冷房と暖房とを切り換える時期が変動してプログラムの再設定を余儀なくされる場合もある。
【特許文献１】特開２００１−２８１３７３号公報
【発明の開示】
【発明が解決しようとする課題】
【０００８】
本発明は、上述のような点に鑑みてなされたものであって、プログラムを設定し直すことなく、簡単にプログラムを変更できるようにしたタイムスイッチを提供することを目的とする。
【課題を解決するための手段】
【０００９】
本発明では、上述の目的を達成するために、次のように構成している。
【００１０】
すなわち、本発明は、設定されたプログラムに従って負荷のオン・オフを制御する電子式のタイムスイッチにおいて、単一の負荷に対して複数のプログラムが設定可能なプログラム設定手段と、前記プログラム設定手段で設定された複数のプログラムを格納する記憶手段と、外部入力または設定入力に基いて、前記記憶手段の複数のプログラムのいずれかのプログラムを選択する選択手段と、選択されたプログラムに従って負荷のオン・オフを制御する制御手段とを備えている。
【００１１】
複数のプログラムは、単一の負荷、すなわち、オン・オフの制御出力を与える一つの出力回路によって、オン・オフが制御される一つの負荷に対するものである。
【００１２】
したがって、例えば、出力回路が複数あるような場合には、各出力回路に個別的に対応する複数の各負荷のそれぞれに対して、複数のプログラムを設定できるようにするのが好ましいが、少なくとも一つの負荷に対して、複数のプログラムを設定できればよい。なお、出力回路が一つであって、単一の負荷のみを制御するものであってもよい。
【００１３】
また、プログラムは、例えば、曜日毎に一週間単位でプログラムの設定を行える週間タイプの場合には、一週間に亘るプログラムをいい、日付毎に一年単位でプログラムの設定を行える年間タイプの場合には、年間に亘るプログラムをいう。
【００１４】
本発明によると、複数のプログラムを設定しておくことにより、必要なときに、外部入力あるいは設定入力によって、所望のプログラムを選択して負荷のオン・オフを制御できることになり、プログラムを設定し直す必要がなく、しかも、外部入力または設定入力によって簡単にプログラムを切替え選択して負荷のオン・オフを制御できることになる。
【００１５】
本発明の好ましい実施態様においては、前記記憶手段は、複数のバンクを有し、各プログラムを各バンクに個別的に対応させて格納するものであり、前記選択手段は、バンクを指定する前記外部入力または前記設定入力に基いて、指定されたバンクに対応するプログラムを選択するものである。
【００１６】
バンクの指定は、パルス入力などの外部入力が与えられる度に、複数のバンクがサイクリックに切替え指定されるのが好ましいが、外部入力が与えられる入力端子間を、短絡あるいは開放することにより、バンクの指定を切替えるようにしてもよい。
【００１７】
また、プログラムを格納する記憶手段のバンクの指定を、前記外部入力または前記設定入力で行えるようにするのが好ましいが、プログラムが設定される順番に従って、予め定めたバンクに格納するようにしてもよい。
【００１８】
この実施態様によると、複数のプログラムを設定すると、記憶手段の対応する各バンクに各プログラムがそれぞれ格納され、運転時には、外部入力または設定入力によってバンクを指定することにより、指定されたバンクのプログラムが選択されて負荷のオン・オフ制御が行なわれる。
【００１９】
本発明の一実施態様においては、選択されているバンクを表示する表示手段を備えている。
【００２０】
表示手段は、曜日や時刻等を表示する表示手段で兼用するのが好ましい。
【００２１】
この実施態様によると、選択されて実行されているバンクを容易に確認することができる。
【００２２】
本発明の他の実施態様においては、選択されたプログラムに従った負荷のオン・オフの制御の開始時点を設定するタイミング設定手段を備え、前記制御手段は、該タイミング設定手段によって設定された時点から前記選択されたプログラムに従った負荷のオン・オフの制御を開始するものである。
【００２３】
タイミング設定手段は、プログラムが選択された直後の時点、プログラムが選択された直後の時刻が００秒となった時点、プログラムが選択された直後の時刻が００分となった時点、プログラムが選択された直後の最初の動作ステップの時点、あるいは、プログラムが選択された直後に限らず、プログラムが選択されて設定した時間が経過した後の前記各時点などの少なくともいずれかの時点を設定できるのが好ましい。
【００２４】
この実施態様によると、外部入力または設定入力によってプログラムを選択した後、制御手段が選択されたプログラムに移行して該プログラムに従って負荷のオン・オフの制御を開始する時点を設定できるので、バンクを指定するための外部入力または設定入力の入力タイミングを比較的自由に選ぶことができる。
【００２５】
本発明の他の実施態様においては、前記プログラム設定手段によって、複数のプログラムを設定するか、あるいは、単一のプログラムを設定するかを選択する選択設定手段を備え、該選択設定手段によって単一のプログラムの設定が選択されたときには、前記プログラム設定手段によって設定される単一のプログラムを、前記記憶手段の前記複数のバンクに亘って格納可能である。
【００２６】
この実施態様によると、単一のプログラムを設定する場合には、記憶手段の複数のバンクに亘ってプログラムを格納できるので、動作ステップの数が多くて一つのバンクに格納できないようなプログラムであっても、記憶手段の記憶領域を有効に使って格納することができる。
【発明の効果】
【００２７】
本発明によると、複数のプログラムを設定しておくことにより、必要なときに、外部入力あるいは設定入力によって、所望のプログラムを選択して負荷のオン・オフを制御できることになり、従来のように、プログラムを設定し直す必要がなく、しかも、簡単にプログラムを切替え選択して負荷のオン・オフを制御することができる。
【発明を実施するための最良の形態】
【００２８】
以下、本発明の実施形態を図面に基づいて説明する。
【００２９】
（実施の形態１）
図１は、本発明の一つの実施の形態に係るタイムスイッチの機能構成を説明するためのブロック図である。
【００３０】
この実施の形態のタイムスイッチ１は、曜日毎に一週間単位でプログラムの設定を行える、いわゆる、週間タイムスイッチであり、このタイムスイッチ１は、各種の演算制御を行なうマイクロコンピュータ２を備えており、このマイクロコンピュータ２は、ＣＰＵ３、ＲＯＭ４、ＲＡＭ５、ＬＣＤドライバ６および各種ポートを有している。
【００３１】
各機能を実現するためのプログラムはＲＯＭ４に格納され、負荷のオンオフを制御するために設定されるプログラムは、記憶手段としてのＲＡＭ５に格納される。
【００３２】
このマイクロコンピュータ２は、水晶振動子を備えた時計用クロック発生回路７から与えられるクロック信号に基づいて計時を行うとともに、設定されたプログラムに基いて、オン・オフ時刻の判定を行って設定された時刻になると、出力増幅回路８を介して出力リレー９を制御し、負荷のオン・オフ制御を行なうものであり、ＲＡＭ５に格納されているプログラムを選択する選択手段および選択したプログラムに従って負荷のオン・オフ制御を行なう制御手段としての機能を備えている。
【００３３】
出力リレー９は、負荷の電源供給路に挿入されるものであり、この実施の形態では、出力増幅回路８および出力リレー９を含む出力回路は、回路１，２の２系統(２ＣＨ)となっている。
【００３４】
また、マイクロコンピュータ２は、ＬＣＤ基準電圧発生回路１０からの基準電圧が与えられ、現在時刻や曜日等の各種情報を表示するＬＣＤ表示部１１の制御を行なう。
【００３５】
また、マイクロコンピュータ２には、負荷のオン・オフ制御を手動で行うか、自動で行うかを設定する手動−自動切換回路１２、タイマ出力またはパルス出力を切替設定する出力設定切替回路１３、動作モードを切り換える動作モード切替回路１４、各種キースイッチからの操作信号が与えられるキースイッチ入力回路１５、システムクロック発生回路１６、および、停電検出回路１７の出力がそれぞれ与えられ、これらの出力に応じた制御動作を行う。このマイクロコンピュータ２は、停電時には、バックアップ用電池１８によってバックアップされる。
【００３６】
以上の構成は、基本的に従来例のタイムスイッチと同様である。
【００３７】
この実施の形態では、プログラムを設定し直すことなく、簡単にプログラムを変更できるようするために、記憶手段としてのＲＡＭ５は、複数(この実施の形態では４つ)のバンクを有しており、各バンクに個別的に対応させて複数の各プログラムをそれぞれ格納できるように構成されており、後述のようにして所望のプログラムを、バンクから読み出して負荷のオン・オフを制御できるように構成されている。
【００３８】
この実施の形態では、上述のように、２系統の出力用の回路１，２を備えているので、各バンク毎に、両回路１，２にそれぞれ対応するプログラムが格納される。
【００３９】
この実施の形態では、複数のバンクのいずれかのバンクを指定するバンクキー入力回路２０と、複数のバンクのいずれかのバンクを指定するための外部入力が与えられるバンク入力端子２１と、該バンク入力端子２１の出力が与えられるバンク入力回路２２とを備えている。
【００４０】
図２は、図１のタイムスイッチ１の正面図であり、図１に対応する部分には、同一の参照符号を付す。
【００４１】
筐体２６の下方には、電源用の接続端子２３および第１の負荷に対する制御出力用の回路１の接続端子２４を備えており、上方には、第２の負荷に対する制御出力用の回路２の接続端子２５および上述のバンクを指定する外部入力用のバンク入力端子２１を備えている。
【００４２】
筐体２６の上部には、矩形のＬＣＤ表示部１１を備えており、このＬＣＤ表示部１１の右方には、上述の回路１，２の設定モードあるいは運転モードの切替えのためのモード切替スイッチ２７が設けられている。
【００４３】
また、ＬＣＤ表示部１１の下方には、日曜日から土曜日までの曜日設定用の曜日設定キー３１〜３７と、休日キー４０と、回路１，２の出力の「入」「切」の設定スイッチ３８，３９と、時刻、オン・オフの時間幅およびパルス幅の設定用のキー２８，２９と、設定内容をセットするセットキー３０と、出力設定切替えスイッチ１９と、バンクキー１５と、時刻合わせキー４１と、サイクル／テストキー４２と、設定内容等を消去するリセットー４３とを備えている。
【００４４】
これらのキースイッチが、プログラム設定等の各設定手段としての機能を有する。
【００４５】
図３は、この実施の形態の処理手順を説明するためのフローチャートである。
【００４６】
この実施の形態では、先ず、バンクに関する初期設定を行なう(ステップｎ１)。この初期設定は、例えば、時刻合わせキー４１を、長く押し操作することにより、初期設定モードとなり、このモードにおいて、例えば、時刻合わせキー４１を操作することにより、バンクの有効／無効の設定、バンクの使用数の設定、バンクの切替え方法の設定、後述のバンク切替えタイミングの設定を順次行うことができ、各設定において、所要のキーを操作して設定を行なうものである。
【００４７】
バンクの有効／無効の設定において、有効を選択すると、複数のバンクを有効として単一の負荷に対して複数のプログラムの設定が可能となり、無効を選択すると、バンクを無効として単一の負荷に対して単一のプログラムの設定が可能となる。
【００４８】
バンクを有効とした場合、この実施の形態では、バンクの数を、Ａ，Ｂの２バンクにするか、Ａ〜Ｄの４バンクにするかのバンクの使用数の設定を行う。
【００４９】
さらに、バンクの切替え方法の設定では、切替えるバンクの指定を、前面のバンクキー４５の操作で行うか、バンク入力端子２１への外部入力で行うかを設定する。
【００５０】
なお、これらの初期設定を、複数のディップスイッチ等によって行なうにしてもよい。
【００５１】
次に、プログラムの設定モードでは、プログラムの設定を行う。このプログラムの設定は、バンクを有効とした場合には、指定したバンク毎に従来と同様にプログラムの設定を行なう(ステップｎ２)。
【００５２】
バンクの指定は、例えば、次のようにして行う。すなわち、図４に示すように、バンクキーを長く押し操作することにより、バンクキー切替モードとなり(ステップｎ１０)、ＬＣＤ表示部１１には、例えば、図５(ａ)に示すように、バンクＡ〜Ｄの４つのバンクが表示される。
【００５３】
次に、バンクＡ〜Ｄに対応する曜日設定キー３４〜３７あるいはバンクキー４５を操作してバンクを指定する(ステップｎ１１)。これによって、ＬＣＤ表示部１１には、図５(ｂ)に示すように、指定されたバンク、例えば、バンクＡが表示される。
【００５４】
次に、セットキー３０を操作することにより、指定したバンクを確定させる(ステップｎ１２)。なお、バンクの指定から一定時間操作がない場合に、自動的に指定したバンクを確定させるようにしてもよい。
【００５５】
また、バンク入力端子２１への外部入力によって、バンクを次のようにして指定してもよい。
【００５６】
例えば、バンクＡおよびバンクＢの２バンクが選択されている場合には、バンク入力端子２１間を短絡することにより、バンクＡを指定し、バンク入力端子２１間を開放することにより、バンクＢを指定するようにしてもよい。
【００５７】
さらに、４バンクが選択されている場合には、バンク入力端子２１にパルス入力が与えられる度に、バンクＡ→バンクＢ→バンクＣ→バンクＤ→バンクＡ→バンクＢ…といようにサイクリックに切替え指定されるようにしてもよく、さらに、プログラムが格納されていないバンクはスキップするようにしてもよい。
【００５８】
このようにしてバンクを指定した後は、従来と同様にして、曜日毎に一週間単位でプログラムの設定を行う。
【００５９】
次に、図３に示すように、運転モードに移行し、最初に指定されたバンクに対応するプログラムに従って負荷のオン・オフを制御する。この運定モードにおいて、上述の図４と同様にして別のバンクを指定してバンクを切替えることができ、指定されたバンクに切替えてプログラムを変更し、この変更したプログラムに従って負荷のオン・オフを制御する(ステップｎ３)。
【００６０】
切替えられたバンクに格納されているプログラムへ移行してオン・オフの制御を開始する時点は、バンク切替えが確定した直後であってもよいし、バンク切替えが確定した直後の００秒の時点、例えば、９時２８分３５秒にバンク切替えが確定したとすると、９時２９分００秒からバンクが切り替ってそのバンクに格納されているプログラムに従った負荷のオン・オフの制御が開始されるようしてもよいし、あるいは、バンク切替えが確定した直後の００分の時点、例えば、９時２８分３５秒にバンク切替えが確定したとすると、１０時００分００秒からバンクが切り替ってそのバンクに格納されているプログラムに従った負荷のオン・オフの制御が開始されるようしてもよいし、さらには、バンク切替えが確定した直後の最初の動作ステップから切替えるようにしてもよい。
【００６１】
かかるオン・オフの制御を開始するタイミングの設定は、上述の初期設定モードにおけるバンク切替えタイミングの設定として行う。なお、他の実施の形態として、例えば、特定のキーを長く押し操作することにより、タイミング設定モードとし、このタイミング設定モードにおいて、所要のキーの操作によって行なうようにしてもよい。
【００６２】
次に、以上の構成を有するタイムスイッチ１を、上述の工業用空調システムに使用した場合について説明する。
【００６３】
夜間電力を使用して熱源機等の負荷を運転して夏季には氷、冬季には温水を蓄熱槽に蓄え、昼間は、蓄熱槽に蓄えた氷、あるいは、温水を利用して冷房あるいは暖房を行うシステムでは、氷あるいは温水を蓄える夜間の時間帯は、例えば、２２時から８時で季節を通じて同じであるのに対して、氷や温水を利用する昼間の時間帯については、氷を利用する夏季は、冷房のピークの時間帯である、例えば、１３時から１６時であり、温水を利用する冬季は、暖房の立ち上げ時間帯である、例えば、８時から９時であり、時間帯が異なっている。
【００６４】
そこで、二つのバンクＡ，Ｂを使って、一方のバンク、例えば、バンクＡには、夏用の冷房プログラムを設定し、バンクＢには、冬用の暖房プログラムを設定する。
【００６５】
すなわち、バンクを有効にするとともに、バンクの数を、２つに設定し、さらに、バンクＡを指定する。
【００６６】
このバンクＡについては、従来と同様にして、夜間の負荷を制御する回路１には、夜間の時間帯である２２時にオンして８時にオフする一週間に亘るプログラムを設定する。
【００６７】
さらに、昼間の負荷を制御する回路２には、冷房のピークの時間帯である１３時にオンして１６時にオフする一週間に亘るプログラムを設定する。
【００６８】
次に、バンクＢに切替え、バンクＢについては、従来と同様にして夜間の負荷を制御する回路１には、バンクＡと同じ２２時にオンして８時にオフする一週間に亘るプログラムを設定する。
【００６９】
さらに、昼間の負荷を制御する回路２には、暖房の立ち上げ時間帯である８時にオンして９時にオフする一週間に亘るプログラムを設定する。
【００７０】
これによって、ＲＡＭ５のバンクＡには、夏季の冷房用のプログラムが格納され、バンクＢには、冬季の暖房用のプログラムが格納されることになる。
【００７１】
運転時には、外部入力または設定入力によって、夏季は、バンクＡを指定し、冬季には、バンクＢを指定する。これによって、夏季は、夜間電力を利用して蓄熱槽に氷を蓄え、昼間は、冷房のピークの時間帯に、蓄熱槽に蓄えた氷を利用して冷房を行い、冬季は、夜間電力を利用して蓄熱槽に温水を蓄え、昼間は、暖房の立ち上げ時に、蓄熱槽に蓄えた温水を利用して暖房を行ってランニングコストを低減することができる。
【００７２】
したがって、従来例のように、夏季には、冷房用のプログラムを設定し、冬季には、暖房用のプログラムを設定するというように、年２回のプログラムの設定を行う必要がなく、しかも、外部入力やキーによる設定入力によって簡単にプログラムを切替えることが可能となる。このため、年によって寒暖の相違があっても、その年の寒暖に合わせた時期にプログラムの切替えを容易に行うことができる。
【００７３】
なお、ＲＡＭ５の記憶領域を有効に利用できるように、バンク数を２とした場合には、図６(ａ)に示すバンクＡ〜Ｄの４つのバンクの記憶領域を、図６(ｂ)に示すように、バンクＡ，Ｂの二つのバンクに割り当てて利用し、また、バンクを有効にしない場合には、図６(ｃ)に示すように、図６(ａ)のバンクＡ〜Ｄの４つのバンクの記憶領域の全てを利用するようにしてもよい。
【００７４】
これによって、例えば、図６(ａ)の各バンクＡ〜Ｄには、それぞれ動作ステップ数が、例えば、１２ステップしか格納できない場合であっても、図６(ｂ)に示すように２つのバンクを選択したときには、２４ステップの動作数のプログラムを格納することが可能となり、また、図６(ｃ)に示すように、バンクを無効としたときには、４８ステップの動作ステップ数のプログラムを格納することが可能となる。
【００７５】
なお、ステップ数に余裕がある場合には、図７(ｃ)に示すように、バンクを有効にしないときには、のバンクＡに対応する記憶領域のみを利用するようにしてもよい。
【００７６】
本発明は、上述の空調システムに限らず、様々な用途の負荷のオン・オフの制御に使用できるものであり、例えば、次のような制御に好適である。
【００７７】
例えば、隔週で休みが入る週間動作の場合には、休みの無い週のプログラムと、休みのある週のプログラムとを異なるバンクに格納し、週に応じてバンクを切替えればよい。
【００７８】
また、例えば、第２土曜日が休みといったように、月１回の休みがあるような場合には、第２土曜日のある週のプログラムと、他の週のプログラムとを異なるバンクに格納し、休みのある週と他の週とに応じてバンクを切替えればよい。
【００７９】
さらに、切替え時期が不定期に到来するような制御、例えば、電照栽培における品種の切替え制御に好適である。
【００８０】
電照栽培では、同じビニールハウスで、時期によって異なる品種を栽培するのであるが、品種によって電照パターンが異なるので、各品種毎の電照パターンに対応した複数のプログラムを、複数のバンクに個別的に格納し、栽培する品種に対応するバンクに切替えて栽培を行えばよい。品種の切替えの時期は、不定期に到来するので、年間タイムスイッチで予めプログラムしておくことはできず、また、従来の週間タイムスイッチでは、品種切替えの時期が到来する度に、プログラムを設定し直す必要があるが、本発明では、キー操作等でバンクを切替えるだけで容易に対応できる。
【産業上の利用可能性】
【００８１】
本発明は、負荷のオン・オフを制御するタイムスイッチとして有用である。
【図面の簡単な説明】
【００８２】
【図１】本発明に係るタイムスイッチのブロック図である。
【図２】図１のタイムスイッチの正面図である。
【図３】処理手順を説明するためのフローチャートである。
【図４】バンク指定の処理手順を説明するためのフローチャートである。
【図５】図４に対応するＬＣＤ表示部の表示例を示す図である。
【図６】ＲＡＭの記憶領域を説明するための図である。
【図７】ＲＡＭの記憶領域を説明するための図である。
【符号の説明】
【００８３】
１            タイムスイッチ
２            マイコン
５            ＲＡＭ
９            出力リレー
１１          ＬＣＤ表示部
１９          バンク設定選択スイッチ
２１          バンク入力端子
【図１】
2006250805.tif 000003
【図２】
2006250805.tif 000004
【図３】
2006250805.tif 000005
【図４】
2006250805.tif 000006
【図５】
2006250805.tif 000007
【図６】
2006250805.tif 000008
【図７】
2006250805.tif 000009